(57)【特許請求の範囲】
【請求項１】
カード受入空洞と、カード受入空洞に、初期位置から奥の接続位置へと挿入されたカードを前記初期位置へ排出するためのカード排出機構とを備えたカード用コネクタであって、
前記カード排出機構が、カード受入空洞の一側に設置されて、カードと一体となってカード受入空洞内をカードの挿入及び抜去の方向でスライドするカムスライダーと、
カムスライダーのカム溝と係合して、カムスライダーのスライドを制御するカムピンと、
カムスライダーをカードの抜去方向に付勢するためのスプリングとを主要構成部材とするプッシュ／プッシュ式のカード排出機構であるカード用コネクタにおいて、
前記カムスライダーが、カードの側縁と対向する側に、カードの側縁部に形成された切欠凹部と係合又は離脱するロック用フックを有していると共に、カムスライダーの前記ロック用フックの背面側には、カムスライダーをバックアップする板状スプリングが対向して設けてあり、
前記板状スプリングには突出部が形成され、
カードが前記初期位置にある時には、板状スプリングの突出部が前記ロック用フックの背面に接し、該ロック用フックがカードの切欠凹部と係合又は離脱するためにカムスライダーが傾動する際の負荷が、カードが前記接続位置にある時よりも大きいことを特徴とするカード用コネクタ。
【請求項２】
前記カード受入空洞は、前記カードの一面と対向する略方形の天板と、この天板の対向する両側縁に連続して成形されている箱曲げ部とを有するメタルシェルを介して形成され、前記カムスライダーが一方の箱曲げ部でガイドされていると共に、前記板状スプリングが、この箱曲げ部を構成している側板に切り起こされている請求項１に記載のカード用コネクタ。
【請求項３】
前記カード受入空洞は、絶縁ハウジングとメタルシェルとが協働することによって画成され、前記絶縁ハウジングの側壁とメタルシェルが協働して前記カード排出機構を支持する構成となっており、前記板状スプリングが前記メタルシェルの側板に切り起こされている請求項１に記載のカード用コネクタ。
【請求項４】
前記板状スプリングは、前記側板に両持ちばね又は片持ちばねの態様で切り起こされており、一方の基部側に前記突出部が形成されている請求項２又は３に記載のカード用コネクタ。
【発明の詳細な説明】
【技術分野】
【０００１】
この発明は、メモリーカードなどのカード状媒体（以下、単に「カード」とも言う）を受け入れるようにしたカード用コネクタに関する。
【背景技術】
【０００２】
従来、メモリーカードなどのカード状媒体を受け入れるようにしたカード用コネクタは、カード受入空洞と、カード受入空洞にコンタクト片を臨ませた複数の端子と、カード受入空洞に受け入れたカードに対するカード排出機構とを備えている。メモリーカードなどのカード状媒体をカード受入空洞に挿入すると、カード状媒体の接点パッドと前記端子のコンタクト片が１対１の関係で係合し、電気的に接続するようになっている。また、カード受入空洞に挿入したカード状媒体は、前記カード排出機構を操作して、外部に取り出すことができるようになっている。
【０００３】
前記複数の端子は、絶縁ハウジングで支持されている。この絶縁ハウジングは、細長いブロック状の端子支持部を有し、更にこの端子支持部の両端から互いに対向するように側壁がアーム状に延びていると共に、両側壁間に底板を有した構造とされている。そして、この絶縁ハウジングの上側にメタルシェルが組み付けられて、メタルシェルと絶縁ハウジングが協働して前記カード受入空洞を画成するようにされている（特許文献１、２参照）。
【０００４】
また、カード排出機構には種々の機構が採用されているが、カード用コネクタの小型化が進展するに従って、いわゆるプッシュ／プッシュ式のカード排出機構が採用されたものが多くなっている（特許文献２参照）。このプッシュ／プッシュ式のカード排出機構は、カード状媒体と係合して、カード状媒体と一体となってスライド移動ができるようにしたスライド部材であって、側面にハート形のカム溝が形成されているカムスライダーと、カムスライダーのスライド移動を付勢するスプリングと、カムスライダーに形成されたカム溝に係合してカムスライダーのスライドを制御するカムピンを主要な構成部品としている。そして、このカムスライダーは、前記絶縁ハウジングの側壁または底板に設けたガイドレールでそのスライドがガイドされるようにされている。
近年の、ビデオカメラ、デジタルスチルカメラ、携帯電話機、ＰＤＡ(Ｐｅｒｓｏｎａｌ  Ｄｉｇｉｔａｌ  Ａｓｓｉｓｔａｎｔ)等の電子機器の小型高機能化の進展には目覚しいものがあるが、これらの電子機器に搭載されるカード用コネクタは、前記プッシュ／プッシュ式のカード排出機構が主流となっている。
【０００５】
また、図１８に示すようなカード用コネクタ３００も提案されるようになってきている。このカード用コネクタ３００は、絶縁ハウジング３１０とメタルシェル３２０が協働してカード受入空洞を画成し、カード３３０を受け入れるようにしている。カード受入空洞の一側には、絶縁ハウジング３１０の側壁３１１とメタルシェル３２０で支持されるカード排出機構３４０が設置されている。カード排出機構３４０は、カムスライダー３４１と、カムピン３４２と、コイルスプリング３４３を主要構成部材とするプッシュ／プッシュ式に構成されている。カムスライダー３４１は、カード３３０の挿入を待機する初期位置（図示された位置）と、絶縁ハウジング３１０の端子支持壁３１２に装着された端子３５０にカード３３０の接点パッド３３１が係合する接続位置の間でスライド可能とされている。このカムスライダー３４１は、カード受入空洞側に突出してカード３３０の切欠凹部３３２と係合可能としたロック用フック３４４と、メタルシェル３２０の側板３２１と対向する背面３４５とを有している。メタルシェル３２０の側板３２１には、カムスライダー３４１の初期位置に略対応する部分に、両持ちばね構造の板状スプリング３２２が切り起こされてカムスライダー３４１の背面３４５をバックアップするようにしており、カード３３０の挿入によってロック用フック３４４が外側に押された時には、カムスライダー３４１が板状スプリング３２２を弾性変形させながら傾動できるようにされている。
【０００６】
【特許文献１】特開２００２−３２９５５３号公報(段落０００４〜００１０、図６〜９)
【特許文献２】特開２００２−３４３４６８号公報(段落０００４〜００１１、図８〜１１、段落００１３〜００４８、図１、６、７)
【発明の開示】
【発明が解決しようとする課題】
【０００７】
前記プッシュ／プッシュ式のカード排出機構を備えたカード用コネクタの場合、カードを使用する時には、カードをカード受入空洞の初期位置にセットして奥の接続位置まで挿入する。また、カードを取り出す時には、カードを介して前記プッシュ／プッシュ式のカード排出機構を操作する。カード排出機構を操作すると、カードと一体のカムスライダーがスプリングで抜去方向に付勢されて、接続位置にあるカードを初期位置まで排出し、ここからカードを取り出すことができるようにしている。
ここで問題となるのが、カードを取り出す際のカードの飛び出し現象である。前記カムスライダーを付勢しているスプリングの弾力が強い場合、カムスライダーが初期位置で停止するのにかかわらず、カードが慣性でカムスライダーから離れて外部に飛び出す現象である。カードの飛び出しによって、カードを紛失したり、カードが破損したりするおそれもあった。
【０００８】
この発明は、カードの取り出し時にカードがカード受入空洞から外部に飛び出さないようにしたカード用コネクタを提供することを目的としてなされたものである。
【課題を解決するための手段】
【０００９】
斯かる目的のもとになされたこの発明のカード用コネクタは、カード受入空洞と、カード受入空洞に、初期位置から奥の接続位置へと挿入されたカードを前記初期位置へ排出するためのカード排出機構とを備えたカード用コネクタであって、
前記カード排出機構が、カード受入空洞の一側に設置されて、カードと一体となってカード受入空洞内をカードの挿入及び抜去の方向でスライドするカムスライダーと、
カムスライダーのカム溝と係合して、カムスライダーのスライドを制御するカムピンと、カムスライダーをカードの抜去方向に付勢するためのスプリングとを主要構成部材とするプッシュ／プッシュ式のカード排出機構であるカード用コネクタにおいて、
前記カムスライダーが、カードの側縁と対向する側に、カードの側縁部に形成された切欠凹部と係合又は離脱するロック用フックを有していると共に、カムスライダーの前記ロック用フックの背面側には、カムスライダーをバックアップする板状スプリングが対向して設けてあり、
前記板状スプリングには突出部が形成され、
カードが前記初期位置にある時には、板状スプリングの突出部が前記ロック用フックの背面に接し、該ロック用フックがカードの切欠凹部と係合又は離脱するためにカムスライダーが傾動する際の負荷が、カードが前記接続位置にある時よりも大きいことを特徴としている。
【発明の効果】
【００１１】
上記の如くの構成を備えているこの発明のカード用コネクタでは、カード及びカムスライダー（スライド部材）が共に初期位置にある時には、板状スプリングの突出部がカムスライダー（スライド部材）の背面に接しているので、カムスライダー（スライド部材）が初期位置で傾動する場合、板状スプリングに設定した弾性力を傾動のはじめから直接作用させることができる。また、初期位置でのロック用フックがカードの側縁から離れる方向へ退避するカムスライダー（スライド部材）の傾動に対する負荷が接続位置の時に比べて大きくなるような板状スプリングの弾性力を設定する自由度も高い。この結果、カードとカムスライダー（スライド部材）間の摩擦力を強めて両者の一体性を初期位置において強く維持し、カードがカムスライダー（スライド部材）から離れて飛び出すのを確実に防止することができる。したがって、カードの紛失や破損等のおそれをなくすることができる。
【発明を実施するための最良の形態】
【００１２】
以下、この発明の一実施形態を添付の図を参照して説明する。はじめに実施形態のカード用コネクタの全体構造を説明し、その上で、この発明に係る特徴部分について詳細に説明する。
【００１３】
図１に実施形態のカード用コネクタ１０が、カード１２を受け入れた状態で示されている。図の（ａ）がカード用コネクタ１０を上方から見た斜視図であり、（ｂ）が下方から見た斜視図である。
【００１４】
カード用コネクタ１０は、メタルシェル２０と、端子支持ブロック３０と、端子支持ブロック３０に並列して装着されている複数の端子４０と、プッシュ／プッシュ式のカード排出機構５０とで構成されている。
【００１５】
メタルシェル２０は、ステンレススチール等の薄金属板を図３のように成形したもので、前記カード１２を受け入れるカード受入空洞１４（図２参照）を画成している。即ち、メタルシェル２０は、カード１２の一面（上面）と対向する略方形の天板２１と、この天板２１の対向する両側縁に連続させて断面を略コ字状に成形された箱曲げ部２２、２３とを有しており、天板２１の下側をカード受入空洞１４としている。カード受入空洞１４は、下側が箱曲げ部２２、２３間で開放していると共に、図１（ａ）において手前側となっている一端がカード挿入口１４１として開放している。
【００１６】
図１、２を参照して前記箱曲げ部２２、２３の構造を説明すると、図２において右側に位置する一方の箱曲げ部２２は、天板２１から略直角に屈曲して連続する側板２２１と、側板２２１から略直角に屈曲して連続し、天板２１と対向する底側板２２２を有しており、天板２１の側縁部から底側板２２２の間で断面が略コ字形とされている。
【００１７】
一方の箱曲げ部２２と対向している他方の箱曲げ部２３も略同様であり、天板２１から略直角に屈曲して連続する側板２３１と、側板２３１から略直角に屈曲して連続し、天板２１と対向する底側板２３２を有しており、天板２１の側縁部から底側板２３２の間で断面が略コ字形とされている。
【００１８】
図１（ｂ）及び図２に表れているように、一方の箱曲げ部２２の底側板２２２に比べて他方の箱曲げ部２３の底側板２３２が幅広にされている。また、両方の側板２２１、２３１は、同一の高さを有しており、天板２１の下側に画成されるカード受入空洞１４のために、カード１２の厚さより若干厚い高さにされている。
【００１９】
箱曲げ部２２、２３において、それぞれの底側板２２２、２３２は、側板２２１、２３１の全長に亘っているものではない。一方の箱曲げ部２２の底側板２２２は、側板２２１の略中間に部分的に設けられている。この底側板２２２よりカード挿入口１４１側には、外向きのネイル片２２３と、内向きのガイド片２２４が、側板２２１から略直角に連続させて、底側板２２２と同一の面内で設けられている。
【００２０】
他方の箱曲げ部２３の底側板２３２は、カード挿入口１４１側の端部を除いて、側板２３１の全長に亘っている。底側板２３２が設けられていない側板２３１の端部には、外向きのネイル片２３３が底側板２３２と同一面内で設けられていると共に、カード挿入ガイド部品２４が取り付けられている。このカード挿入ガイド部品２４は、図４に示した如くの形状に絶縁性のプラスチックをブロック状に成形したもので、メタルシェル２０の天板２１側から垂下させた係合片２１１（図３参照）を係合穴２４２に圧入することで、このカード挿入ガイド部品２４をメタルシェル２０に一体化できるようになっている。側板２３１の端部に取り付けられたカード挿入ガイド部品２４は、前記箱曲げ部２２のガイド片２２４、側板２２１及び天板２１の側縁部で形成されたコ字状部分と対向し、両者が協働してカード１２のカード受入空洞１４への挿入をガイドするようになっている。
【００２１】
前記端子支持ブロック３０は、図５に表れているように、絶縁性のプラスチックを略角棒状に成形したものである。メタルシェル２０の対向する側板２２１、２３１の間隔に略等しい長さとされ、中間部に端子４０のための装着孔３１が複数、並列して形成されている。この端子支持ブロック３０がメタルシェル２０によって画成されたカード受入空洞１４の奥、即ちカード挿入口１４１と対向する端部に取り付けられている。端子支持ブロック３０の一端面とこれに対向するメタルシェル２０の側板２２１には、係合窓２２５と係合突部３２のような係合手段が設けられて、メタルシェル２０と端子支持ブロック３０が一体化できるようにされている。また、図２に表れているように、メタルシェル２０の天板２１の端縁からも係合片２５が垂下して、係合片２５に形成した係合窓２５１と係合突部３２による係合手段も設けられている。そして、この係合片２５にはネイル片２５２が連続して設けられている。ネイル片２５２は前記側板２２１、２３１のネイル片２２３、２３３と同一の面内で設けられている。
【００２２】
端子支持ブロック３０の各装着孔３１に装着された複数の端子４０は、りん青銅などのばね性の高い薄金属板を打ち抜いて成形したもので、一端にコンタクト片４１を有し、他端にネイル片４２を有している。コンタクト片４１が前記カード受入空洞１４の奥に片持ち梁状となって臨んでいる（図２）。そして、ネイル片４２は、端子支持ブロック３０の外側にＬ字状となって延びている（図１（ｂ）、２）。ネイル片４２も前記メタルシェル２０にいくつか設けられたネイル片２２３、２３３、２５２と同一の面内に配置され、これらのネイル片４２、２２３、２３３、２５２がこのカード用コネクタ１０を搭載するプリント基板などの取付基板に同時に表面半田付けができるようにされている。
【００２３】
カード排出機構５０は、前記メタルシェル２０の箱曲げ部２３の内側空間に設置されている。このカード排出機構５０の機構自体は既に公知のプッシュ／プッシュ式の機構であり、図６に示したように、カムスライダー５１と、コイルスプリング５２と、カムピン５３を主要構成部材としている。カムスライダー５１が、前記箱曲げ部２３の底側板２３２上に載っており、底側板２３２内で切り起こして形成された突片状のガイドレール２３４とカムスライダー５１の下面に形成したスライド溝５１１が嵌まり合っており、カムスライダー５１が、図６に示した矢示１５の、カード１２がカード受入空洞１４に挿入及び抜去される方向でガイドレール２３４によってスライドをガイドされるようになっている。
【００２４】
このカムスライダー５１には、前記カムピン５３が係合するカム溝５１２（ハートカム、図７〜１０参照）が設けられていると共に、カード１２の挿入方向前端側部と当接するようにした斜壁面５１３と、カード１２の側縁に形成された切欠凹部１２１（図７〜１０参照）と係合、離脱が可能のロック用フック５１４とが設けられている。
【００２５】
コイルスプリング５２は、前記カムスライダー５１と前記端子支持ブロック３０の一端に設けたスプリング受壁３３の間に弾発状態で設置されて、カムスライダー５１を常時、矢示５２１の方向（カード１２が抜去される方向）に付勢するようになっている。
【００２６】
カムピン５３は、丸い金属棒の両端を略直角に屈曲成形した形状をしており、一端がカード挿入口１４１の一側に取り付けられたカード挿入ガイド部品２４のピン係合凹部２４３（図４参照）にピボット軸支されており、そして他端がカムスライダー５１のカム溝５１２に係合している。このようなカム溝５１２とカムピン５３の係合によって、カムスライダー５１のスライド動作が、以下で説明するように、プッシュ／プッシュ式の動作となるように制御されている。
【００２７】
次に、図７〜１０を参照して、以上のように構成されたカード用コネクタ１０のカード受入空洞１４にカード１２を挿入する時の、カムスライダー５１の動作について説明する。カード１２は、前記切欠凹部１２１が形成されているのに加えて、挿入方向前端の上面に、図７〜１０の各図に表れているように、接点パッド１２２が並列して設けられ、また、前端一側には、方形の板の角部を斜めに切り落とした形の極性決めコーナー１２３が設けられている。前記端子４０のコンタクト片４１は、接点パッド１２２と１対１の関係で対応するようにされているものであり、また、前記カムスライダー５１の斜壁面５１３が、極性決めコーナー１２３と対向して隙間なく当接できるようにされているものである。
【００２８】
図７は、カード挿入口１４１を通してカード受入空洞１４へ、カード１２を正しく挿入した初期の状態を表している。この時、カムスライダー５１は無負荷状態で、コイルスプリング５２の付勢力でカード挿入口１４１に最も近接した所に位置している。即ち、図７は、カード１２とカムスライダー５１の初期位置を表している。カード１２が挿入されて、カード１２の極性決めコーナー１２３がカムスライダー５１の斜壁面５１３に当接すると共に、カムスライダー５１のロック用フック５１４がカード１２の切欠凹部１２１に係合してロック状態となり、カード１２とカムスライダー５１が一体化している。ロック用フック５１４と切欠凹部１２１が係合する様子は後に説明する。
【００２９】
図８は、図７の初期状態からカード１２をその前端が端子支持ブロック３０に当接する位置まで進入させた状態の図である。これをオーバーストローク状態と呼んでいる。カード１２に加える挿入力はこのオーバーストローク状態の所で解除することになる。カード１２がオーバーストローク状態の所まで進入するのに合わせて、カムスライダー５１も前記ガイドレール２３４でガイドされて、カード１２と共にカード受入空洞１４の奥にスライドする。
【００３０】
カード１２をオーバーストローク状態の所まで挿入して挿入力を解除すると、カムスライダー５１のスライドで圧縮状態となっているコイルスプリング５２の反発力で、カムスライダー５１が、図８の矢示１６の方向に押し戻され、カード１２とカムスライダー５１は図９に示した位置までスライドして停止する。この状態をロック状態と呼んでいる。ロック状態の所で、カード１２とカムスライダー５１のスライドが停止するのは、カムピン５３が係合しているカムスライダー５１のカム溝５１２の形状によっているものである。
【００３１】
オーバーストローク状態からロック状態の所までのカムスライダー５１のスライドも、箱曲げ部２３を構成した底側板２３２のガイドレール２３４でガイドされる。カード１２のロック状態においては、複数の端子４０のそれぞれのコンタクト片４１はカード１２の接点パッド１２２に所定の接触圧で係合しており、接点パッド１２２とコンタクト片４１は電気的に接続された状態になる。このロック状態のカムスライダー５１とカード１２の位置が接続位置である。
【００３２】
カード受入空洞１４に図９のように挿入したカード１２を抜去する時は、カード１２に挿入力を再び加えて図１０のオーバーストローク状態として、挿入力を解除するようにする。すると、カムピン５３のカム溝５１２における係合位置が、カムスライダー５１のスライドを停止させる位置から外れて他の部分に移動し（図９、１０参照）、カムスライダー５１とカード１２は図７の初期位置まで、コイルスプリング５２の反発力で矢示１７の方向に押し戻されて、カード１２の取り出しが可能となる。図１０のオーバーストロークの位置から図７の初期位置までのカムスライダー５１のスライドも、前記底側板２３２のガイドレール２３４によってガイドされる。
【００３３】
前記カムスライダー５１のロック用フック５１４がカード１２の切欠凹部１２１と係合及び離脱するために、ロック用フック５１４はカード１２の側縁から離れる方向に退避させる必要がある。このため、カムスライダー５１の外側面、即ちロック用フック５１４の背面５１５には、図１１〜１３に示したように、メタルシェル２０の側板２３１に打ち抜いた板状スプリング２３５でバックアップしている。この板状スプリング２３５は、両持ちばねの態様となっており、図に表れているように、中間部が屈曲成形され、一方の端部（カード挿入口１４１側）の近くに突出部２３６をカムスライダー５１に向けて突出させてある。
【００３４】
カムスライダー５１の背面５１５と板状スプリング２３５の突出部２３６の位置関係及び対向関係は、カムスライダー５１が前記初期位置にある時に、突出部２３６と背面５１５がちょうど対向して、図１２のように互いに当接し、そして、カムスライダー５１が前記接続位置にある時には、背面５１５は図１３のように板状スプリング２３５の突出させていないもう一方の端部（カード受入空洞１４の奥側）側に移動して対向するようにしてある。
【００３５】
カード１２の切欠凹部１２１とカムスライダー５１のロック用フック５１４の係合または離脱の時には、図１２、１３中の矢示１７のように、カムスライダー５１を若干傾動させて板状スプリング２３５を弾性変形させ、ロック用フック５１４をカード１２の側縁から離れる方向へ退避させることができるようになっている。尚、図１１に表れている符号２１２は、メタルシェル２０の天板２１に切り起こされた押えばねで、前記カムピン５３をカム溝５１２へ向けて付勢するものである。
【００３６】
カード１２及びカムスライダー５１が初期位置（図１２）にある時に、カムスライダー５１が矢示１７の方向へ傾動する場合、板状スプリング２３５の突出部２３６がメタルシェル２０の側板２２１からカード受入空洞１４内部へ突出して背面５１５に接するようにして、図１９に示す従来例のカード用コネクタ３００で見られたような隙間３２３を殆ど無くすと共に、この初期位置で板状スプリング２３５の弾性力が極端に効くような設定になっているために、カムスライダー５１は板状スプリング２３５の強い弾性力で直ちにバックアップされる。これに対して、カード１２及びカムスライダー５１が接続位置（図１３）にある時には、カムスライダー５１は単独で傾動もしくは板状スプリング２３５に背面５１５が接していたとしても板状スプリング２３５の弾性により従来と同様に傾動することができる。この位置では初期位置でのような強い弾性力も生じない設定となっており比較的容易に傾動できる。つまり、カムスライダー５１が傾動する際の負荷が、接続位置の時に比べて初期位置の時の方が大きくなっている。言い換えると、ロック用フック５１４と切欠凹部１２１の係合または離脱は、カード１２及びカムスライダー５１が接続位置にある時に比べて初期位置にある時のほうが比較的困難になっている。
【００３７】
このように、カムスライダー５１の背面５１５をメタルシェル２０側の板状スプリング２３５で、前記のような関係でバックアップした構成とした結果、カード１２とカムスライダー５１の一体性が前記初期位置において比較的強く維持され摩擦力も強くなる。そして、カード１２を接続位置から初期位置へ、コイルスプリング５２の弾力で排出した際には、カムスライダー５１が初期位置で停止すると、カード１２も一体となって停止するようにし、カード１２が慣性でカムスライダー５１から離れてカード挿入口１４１へ向かって飛び出すのを確実に防止することができる。
【００３８】
初期位置にあるカムスライダー５１に対して、カード１２を挿入して切欠凹部１２１とロック用フック５１４を係合させる際には、上記のように比較的大きい傾動負荷に対して比較的強い力（挿入力）を必要とするので、明確なクリック感を得る上でも効果的である。また、接続位置にあるカード１２を、カード排出機構５０によることなく、直接引き抜いた場合（無理抜き）、カムスライダー５１の傾動は初期位置に比べて負荷が小さい分比較的容易である。したがって、無理抜きにも安全に対応でき、無理抜きによってカード用コネクタ１０が破壊されるような事態も未然に防止することができる。
【００３９】
図１４、１５は、板状スプリング２３５に設ける突出部の変形例を示している。図１４は、逆Ｖ字状に屈曲成形して突出部２３７を形成している。また、図１５は、逆Ｕ字状の屈曲成形によって突出部２３８を形成している。さらに、図１６は、メタルシェル２０の側板２３１に片持ち状の板状スプリング２３９を形成し、その先端近傍に突出部２４０を設けた変形例を示している。このような突出部２３７、２３８、２４０によっても前記のようにカード１２の切欠凹部１２１とカムスライダー５１のロック用フック５１４の係合及び離脱が初期位置において困難になるように、カムスライダー５１の傾動に対する負荷を、接続位置に比べて初期位置で大きくなるようにすることができる。
【００４０】
また、上記の実施形態では、メタルシェル２０に箱曲げ部２２、２３を形成して、一方の箱曲げ部２３にカード排出機構５０を設けているが、図１７に示すような、カード受入空洞が絶縁ハウジング３１０とメタルシェル３２０が協働して画成され、さらに絶縁ハウジング３１０の側壁３１１とメタルシェル３２０が協働してカード排出機構３５０を支持する構成（図１８の構成と同様である）のものであっても、同様の実施が可能である。即ち、メタルシェル３２０の側板３２１に板状スプリング３２２を切り起こしによって設け、この板状スプリング３２２に設けた突出部３２４が、初期位置にあるカムスライダー３４１の背面３４５に接するようにする。
【図面の簡単な説明】
【００４１】
【図１】この発明の実施形態のカード用コネクタがカードを受け入れた状態の斜視図であって、（ａ）は上方から見た斜視図、（ｂ）は下方から見た斜視図である。
【図２】同じく実施形態のカード用コネクタの下方から見た斜視図である。
【図３】同じく実施形態のカード用コネクタを構成したメタルシェルを単独で示す斜視図である。
【図４】同じく実施形態のカード用コネクタを構成したカード挿入ガイド部品を単独で示す斜視図である。
【図５】同じく実施形態のカード用コネクタを構成した端子支持ブロックを、端子が装着された状態で示す斜視図である。
【図６】同じく実施形態のカード用コネクタの一部を破切して示す拡大斜視図である。
【図７】実施形態のカード用コネクタにカードを挿入する時の説明図で、初期状態を表している一部拡大斜視図である。
【図８】同じくカードを挿入する時の説明図で、挿入の際のオーバーストローク状態を表している一部拡大斜視図である。
【図９】同じくカードを挿入する時の説明図で、ロック状態を表している一部拡大斜視図である。
【図１０】挿入したカードを抜去する時の説明図で、オーバーストローク状態を表している一部拡大斜視図である。
【図１１】カムスライダーの背面を板状スプリングがバックアップしている部分を拡大して示した斜視図である。
【図１２】初期位置にあるカムスライダーと板状スプリングの関係を示した説明図である。
【図１３】接続位置にあるカムスライダーと板状スプリングの関係を示した説明図である。
【図１４】板状スプリングに設ける突出部の他の例を示す説明図である。
【図１５】板状スプリングに設ける突出部の更に他の例を示す説明図である。
【図１６】板状スプリングを片持ちばねとした実施形態の一部を拡大して示した斜視図である。
【図１７】絶縁ハウジングとメタルシェルが協働してカード受入空洞を画成するカード用コネクタにこの発明を実施した形態を示す斜視図である。
【図１８】従来のカード用コネクタの構成を表している分解斜視図である。
【図１９】図１８のカード用コネクタにおけるカムスライダーと板状スプリングの関係を示す説明図である。
【符号の説明】
【００４２】
１０          カード用コネクタ
１２          カード状媒体（カード）
１２１        切欠凹部
１２２        接点パッド
１２３        極性決めコーナー
１４          カード受入空洞
１４１        カード挿入口
２０          メタルシェル
２１          天板
２１１        係合片
２１２        押えばね
２２          箱曲げ部
２２１        側板
２２２        底側板
２２３        ネイル片
２２４        ガイド片
２２５        係合窓
２３          箱曲げ部
２３１        側板
２３２        底側板
２３３        ネイル片
２３４        ガイドレール
２３５        板状スプリング
２３６        突出部
２３７        突出部
２３８        突出部
２３９        板状スプリング
２４０        突出部
２４          カード挿入ガイド部品
２４１        ガイド片
２４２        係合穴
２４３        ピン係合凹部
２５          係合片
２５１        係合窓
２５２        ネイル片
２６          ばね片
３０          端子支持ブロック
３１          装着孔
３２          係合突部
３３          スプリング受壁
４０          端子
４１          コンタクト片
４２          ネイル片
５０          カード排出機構
５１          カムスライダー
５１１        スライド溝
５１２        カム溝
５１３        斜壁面
５１４        ロック用フック
５１５        背面
５２          コイルスプリング
５３          カムピン
３００        カード用コネクタ
３１０        絶縁ハウジング
３１１        側壁
３１２        端子支持部
３２０        メタルシェル
３２１        側板
３２２        板状スプリング
３２３        隙間
３２４        突出部
３３０        カード
３３１        接点パッド
３３２        切欠凹部
３４０        カード排出機構
３４１        カムスライダー
３４２        カムピン
３４３        コイルスプリング
３４４        ロック用フック
３４５        背面
３５０        端子
【図１】
0004717359.tif 000002
【図２】
0004717359.tif 000003
【図３】
0004717359.tif 000004
【図４】
0004717359.tif 000005
【図５】
0004717359.tif 000006
【図６】
0004717359.tif 000007
【図７】
0004717359.tif 000008
【図８】
0004717359.tif 000009
【図９】
0004717359.tif 000010
【図１０】
0004717359.tif 000011
【図１１】
0004717359.tif 000012
【図１２】
0004717359.tif 000013
【図１３】
0004717359.tif 000014
【図１４】
0004717359.tif 000015
【図１５】
0004717359.tif 000016
【図１６】
0004717359.tif 000017
【図１７】
0004717359.tif 000018
【図１８】
0004717359.tif 000019
【図１９】
0004717359.tif 000020